(57)【要約】【課題】縦水密材と横水密材で取付部分を水密する枠体であって、その枠体のコーナー部の水密が低下することがないようにする。【解決手段】縦枠１１の縦水密材取付部３０に取付けた縦水密材３２で縦枠１１の取付部分を水密し、下の横枠１２の本体１２ａに躯体取付部１２ｂを設け、この躯体取付部１２ｂの室内側面４０に取付けた横水密材４１で横枠１２の取付部分を水密し、前記縦枠１１と横枠１２は、横枠１２の躯体取付部１２ｂの室外側面４２が縦枠１１の縦水密材３２に圧接するように連結され、前記躯体取付部１２ｂに切欠部４３を形成し、この切欠部４３から縦水密材３２がはみ出して横水密材４１と微小隙間が生じることがなく交差するようにした枠体。【選択図】図４
2005082992.tif 000002
【特許請求の範囲】
【請求項１】
左右の縦枠と上下の横枠を方形状に連結した枠体であって、
前記左右の縦枠は、縦水密材取付部と躯体取付部を有し、その縦水密材取付部に取付けた縦水密材で取付部分を水密し、
前記下の横枠は、本体よりも上方に突出した躯体取付部を有し、この躯体取付部の室内側面に横水密材が取付けられ、この横水密材で取付部分を水密すると共に、その室外側面が前記縦水密材に圧接し、
前記下の横枠の躯体取付部の横水密材取付部における縦水密材と対向した部分に切欠部が形成され、
この切欠部を通して縦水密材と横水密材が圧接するようにしたことを特徴とする枠体。
【請求項２】
下の横枠の躯体取付部の室内側面における上端部分は傾斜面で、この室内側面に取付けた横水密材の上面が、室外側が室内側よりも低い傾斜面となるようにした請求項１記載の枠体。
【発明の詳細な説明】
【技術分野】
【０００１】
本発明は、シャッター枠、サッシ枠等の上下の横枠と左右の縦枠を方形状に連結した枠体に関する。
【背景技術】
【０００２】
特許文献１に開示されたように、上下の横枠と左右の縦枠を方形状に連結し、その左右の縦枠間に中枠を取付けてシャッター枠部とボックス取付枠部を有するシャッター枠が知られている。
【０００３】
【特許文献１】特開平１０−２８０８１０号公報
【発明の開示】
【発明が解決しようとする課題】
【０００４】
前述のシャッター枠は、建物躯体の開口部周縁に取付けられ、そのシャッター枠と建物躯体との間に水密材を設けて取付部分を水密している。
前述のようにシャッター枠と建物躯体との間に水密材を設けて水密するには、シャッター枠の内周寄り室内側面に水密材を取付け、この水密材を建物躯体の室外側面に押しつけて水密することが考えられる。
例えば、縦枠の室内側面に縦水密材を取付け、横枠の室内側面に横水密材を取付けることで、その縦水密材、横水密材を建物躯体に圧着して水密する。
前述した特許文献１に開示したシャッター枠は、建物躯体の開口部周縁にサッシ枠を取付け、このサッシ枠の外周寄り部にシャッター枠の内周寄り部が重なり合うようにしてシャッター枠を建物躯体に取付けしているので、この場合には前述の縦水密材、横水密材はサッシ枠の外周寄り部に圧着し、シャッター枠とサッシ枠との間を水密することによりシャッター枠の取付部分を水密している。
【０００５】
前述のようにしてシャッター枠と建物躯体との間に水密材を設けて水密したり、シャッター枠とサッシ枠との間に水密材を設けて水密する場合に、そのシャッター枠のコーナー部の水密が低下する。
つまり、縦枠に縦水密材を取付けると共に、横枠に横水密材を取付けた後に、その縦枠と横枠を連結して方形状のシャッター枠とするので、その縦水密材と横水密材の交差部に微小隙間が生じ易く、シャッター枠のコーナー部（縦枠と横枠の連結部）の水密が低下してしまう。
【０００６】
本発明は、前述の課題に鑑みなされたものであって、その目的は、縦水密材と横水密材で枠体の取付部分を水密すると共に、そのコーナー部の水密が低下することがない枠体とすることである。
【課題を解決するための手段】
【０００７】
第１の発明は、左右の縦枠と上下の横枠を方形状に連結した枠体であって、
前記左右の縦枠は、縦水密材取付部と躯体取付部を有し、その縦水密材取付部に取付けた縦水密材で取付部分を水密し、
前記下の横枠は、本体よりも上方に突出した躯体取付部を有し、この躯体取付部の室内側面に横水密材が取付けられ、この横水密材で取付部分を水密すると共に、その室外側面が前記縦水密材に圧接し、
前記下の横枠の躯体取付部の横水密材取付部における縦水密材と対向した部分に切欠部が形成され、
この切欠部を通して縦水密材と横水密材が圧接するようにしたことを特徴とする枠体である。
【０００８】
第１の発明において、縦枠に縦水密材を取付けると共に、下の横枠に横水密材を取付けた後に、その縦枠と横枠を連結することが好ましい。
また、縦枠の縦水密材取付部は躯体取付部よりも室外寄りに位置することが好ましい。
また、下の横枠の躯体取付部は、上向き板状で、その上方部分の室内側面が横水密材取付部で、下方部分が躯体取付部であることが好ましい。
【０００９】
第２の発明は、第１の発明において下の横枠の躯体取付部の室内側面における上端部分は傾斜面で、この室内側面に取付けた横水密材の上面が、室外側が室内側よりも低い傾斜面となるようにした枠体である。
【発明の効果】
【００１０】
請求項１に係る発明によれば、下の横枠の躯体取付部の室外側面が縦水密材に圧接すると共に、この躯体取付部の切欠部から縦水密材が室内側にはみ出し、その躯体取付部の室内側面に取付けた横水密材に接するので、その縦水密材と横水密材の交差部に微小隙間が生じることがない。
よって、縦水密材と横水密材で枠体の取付部分を水密できると共に、その枠体のコーナー部の水密が低下することがない枠体である。
【００１１】
請求項２に係る発明によれば、横水密材の上面に雨水等が溜ることがなく、その横水密材と建物躯体との間に雨水等が浸入することを防止できる。
また、横水密材の上面と縦水密材が圧着し易く、交差部に微小隙間が生じることをより一層確実に防止できる。
【発明を実施するための最良の形態】
【００１２】
図１、図２、図３に示すように、シャッター枠１０は、左右の縦枠１１，１１と上下の横枠１２，１２を方形状に連結し、その左右の縦枠１１，１１間に中枠１３を連結して上方枠部１４と下方枠部１５を有している。この実施の形態では、シャッター枠１０が枠体である。
前記上方枠部１４に巻取り軸１６が回転自在に取付けてある。この巻取り軸１６によってシャッターカーテン１７が巻き取り・繰り出しされ、そのシャッターカーテン１７が昇降して下方枠部１５を開放、閉塞する。
前記上方枠部１４には前面カバー１８が開閉自在に取付けてあり、この前面カバー１８を開放することで巻取り軸１６部分を点検等できるようにしてある。
これによって、シャッターを構成している。
【００１３】
建物躯体１の開口部２の開口縁にサッシ枠２０が取付けてある。
このサッシ枠２０は、左右のサッシ縦枠２１，２１と上下のサッシ横枠２２，２２を方形状に連結したものである。
前記左右のサッシ縦枠２１は図３に示すように本体部２３と取付部２４を備え、その取付部２４は本体部２３よりも面内方向左右外方に突出し、その取付部２４が建物躯体１の開口部２の縦開口縁に沿って固着される。
前記上下のサッシ横枠２２は図２に示すように本体部２５と取付部２６を備え、その取付部２６は本体部２５の室内側部に設けられ、上のサッシ横枠２２の取付部２６は面内方向上方に突出し、下のサッシ横枠２２の取付部２６は面内方向下方に突出し、その取付部２６が建物躯体１の開口部２の横開口縁に沿って固着される。
【００１４】
前記左右の縦枠１１は、図３に示すようにその室内側面１１ａにおける面内方向内側部分が縦水密材取付部３０で、面内方向外側部分が躯体取付部３１である。好ましくは、縦水密材取付部３０よりも躯体取付部３１が面外方向室内側に位置している。
前記左右の縦材１１の縦水密材取付部３０に図４、図５、図６に示すように縦水密材３２がそれぞれ取付けてある。図２、図３では縦水密材３２が省略してある。
この縦水密材３２がサッシ縦枠２１の取付部２４に圧接するように躯体取付部３１を建物躯体１に固着具３でそれぞれ固着して取付けられる。
【００１５】
前記下の横枠１２は、図２に示すように本体１２ａよりも上方に突出した躯体取付部１２ｂを有し、この躯体取付部１２ｂが固着具３で建物躯体１に固着されると共に、図４、図５、図６に示すように、その室内側面４０に横水密材４１が取付けてあり、その横水密材４１が下のサッシ横枠２２の躯体取付部２６に圧接するようにしてある。図２、図３では横水密材４１が省略してある。
前記縦枠１１と下の横枠１２は、その下の横枠１２の躯体取付部１２ｂが縦枠１１の縦水密材取付部３０に重なり合うようにして連結されるので、下の横枠１２の躯体取付部１２ｂの室外側面４２が図５に示すように縦水密材３２に圧接し、コーナー部（縦枠１１と横枠１２の連結部）においてその縦水密材３２と横水密材４１が交差する。
【００１６】
前述のように、下の横枠１２の躯体取付部１２ｂの室外側面４２が縦水密材３２に圧接することで縦水密材３２が潰れるが、横水密材４１は躯体取付部１２ｂの室内側面４０に取付けてあるから、その横水密材４１と縦水密材３２の交差部に微小隙間（ピンホール）が生じ易い。
このことを防止するために、躯体取付部１２ｂの横水密材取付け部分における縦水密材３２と対向した部分に図４、図５、図６に示すように、切欠部４３を形成し、この切欠部４３によって縦水密材３２と横水密材４１が微小隙間を生じることなく交差するようにする。
【００１７】
また、下の横枠１２の躯体取付部１２ｂにおける上方部分を横水密材取付け部分とし、その室内側面における上端部を図５に示すように傾斜面４４とする。具体的には垂直に対して上部が下部よりも室外寄りとなる傾斜面とする。
これによって、横水密材４１の上面４１ａが傾斜面、具体的には室内側部が高く室外側部が低くなるように水平に対して傾斜した傾斜面となる。
よって、横水密材４１の上面４１ａに雨水等が溜ることがないし、縦水密材３２と横水密材４１の上面４１ａが隙間なく交差し易くなる。
【００１８】
次に、各部材の具体形状の一例を図４〜図７に基づいて説明する。
前記縦枠１１は、中空形状の本体１１ｂと、その本体１１ｂの面内方向外側の外側板３３の室内側端部に設けた取付片３４を備え、その本体１１ｂの室内側板３５の室内側面が前述の縦水密材取付部３０で、取付片３４が前述の躯体取付部３１である。
前記本体１１ｂの室外側部には図３に示すように縦ガイドレール１１ｃが取付けてあり、その縦ガイドレール１１ｃに沿ってシャッターカーテン１７、例えばスラット１７ａが昇降自在である。
【００１９】
前記下の横枠１２の本体１２ａは矩形中空形状で、その上板４５の室内側端部に上向き板４６が一体的に設けてあり、この上向き板４６が躯体取付部１２ｂである。好ましくは、上向き板４６の上方部分の室内側面が横水密材取付部で、下方部分が躯体取付部である。
前記本体１２ａの下板４７の室内側端部に垂下板４８が設けてあり、この垂下板４８が建物躯体１に固着具３で固着される。
【００２０】
前記縦枠１１の本体１１ｂを形成する室内側板３５と内側板３６の下端部分が図７に示すようにそれぞれ切欠きされ、その切欠き部分より前記下の横枠１２の端部を外側板３３の内面に突き当ててビスで連結される。
これによって、下の横枠１２の躯体取付部１２ｂの室外側面４２が縦水密材３２に圧着し、縦水密材３２が潰れる。
そして、縦水密材３２の一部分が切欠部４３から室内側にはみ出し、横水密材４１の上部に隙間なく圧接する。
なお、上の横枠１２にも横水密材４１が設けられ、この横水密材４１と縦水密材３２の上端部分が連続することが好ましい。
【００２１】
以上の実施の形態では、シャッター枠１０を枠体としたが、これに限ることはなくサッシ枠２０を枠体としても良い。
また、シャッター枠１０をサッシ枠２０に重なり合うように取付けしたが、シャッター枠１０を直接建物躯体１の開口縁に取付ける場合でも同様である。
【図面の簡単な説明】
【００２２】
【図１】本発明の実施の形態を示すシャッターの外観図である。
【図２】図１のＡ−Ａ断面図である。
【図３】図１のＢ−Ｂ断面図である。
【図４】縦枠と下の横枠の連結部の内観図である。
【図５】図４のＣ−Ｃ拡大断面図である。
【図６】図４のＤ−Ｄ拡大断面図である。
【図７】縦枠と下の横枠の分解斜視図である。
【符号の説明】
【００２３】
１０…シャッター枠（枠体）、１１…縦枠、１２…横枠、１２ａ…本体、１２ｂ…躯体取付部（上向き板）、３０…縦水密材取付部、３１…躯体取付部、３２…縦水密材、４０…室内側面、４１…横水密材、４１ａ…上面、４２…室外側面、４３…切欠部、４４…傾斜面
【図１】
2005082992.tif 000003
【図２】
2005082992.tif 000004
【図３】
2005082992.tif 000005
【図４】
2005082992.tif 000006
【図５】
2005082992.tif 000007
【図６】
2005082992.tif 000008
【図７】
2005082992.tif 000009